(57)【要約】【課題】キャリッジを昇降させてギャップ調整を行うとき、キャリッジ下降時に自重による速度変化の影響を受けて衝突音が発生したりする。【解決手段】ギャップ調整手段５０はキャリッジ３を移動させてギャップ下降レバー５１、ギャップ上昇レバー５２を押し込むことでキャリッジ３を下降、上昇させ、キャリッジ３を移動走査する主走査モータ５をＰＩＤ制御で駆動制御し、キャリッジ３を下降させるときにはＰＩＤ制御における比例制御のみを有効とし、キャリッジ３を上昇させるときにはＰＩＤ制御における比例と、積分及び微分制御の少なくともいずれかとを有効としてモータ５を駆動制御する。【選択図】図８
2012116006.tif 000002
【特許請求の範囲】
【請求項１】
液滴を吐出するヘッドと、
前記ヘッドが搭載されたキャリッジと、
前記キャリッジを摺動自在に支持し、昇降可能に配設されたガイドロットと、
前記ヘッドに対向して被記録媒体を搬送する搬送手段と、
前記ガイドロッドを昇降させて前記キャリッジを昇降させることで、前記ヘッドと前記被記録媒体とのギャップを調整するギャップ調整手段と、
前記キャリッジを主走査方向に移動させるモータと、
前記モータをＰＩＤ制御で駆動制御するモータ駆動制御手段と、を備え、
前記ギャップ調整手段は、前記キャリッジの主走査方向への移動を前記ガイドロッドの昇降動作に変換する手段を有し、
前記モータ駆動制御手段は、
前記キャリッジを下降させて前記ギャップを小さくするときには前記ＰＩＤ制御における比例制御のみを有効とし、前記キャリッジを上昇させて前記ギャップを大きくするときには前記ＰＩＤ制御における比例制御、積分及び微分制御の少なくともいずれかを有効とする
ことを特徴とする画像形成装置。
【請求項２】
前記変換する手段は、
前記キャリッジが主走査方向の第１の方向に移動されることで押される第１レバーと、前記第１レバーが前記キャリッジで押されることで前記ガイドロッドを上昇させる上昇機構と、
前記キャリッジが主走査方向の第２の方向に移動されることで押される第２レバーと、前記第２レバーが前記キャリッジで押されることで前記ガイドロッドを下降させる下降機構と、を有する
ことを特徴とする請求項１に記載の画像形成装置。
【請求項３】
液滴を吐出するヘッドと、
前記ヘッドが搭載されたキャリッジと、
前記キャリッジを摺動自在に支持し、昇降可能に配設されたガイドロットと、
前記ヘッドに対向して被記録媒体を搬送する搬送手段と、
前記ガイドロッドを昇降させて前記キャリッジを昇降させることで、前記ヘッドと前記被記録媒体とのギャップを調整するギャップ調整手段と、
前記キャリッジを主走査方向に移動させるモータと、
前記モータをＰＩＤ制御で駆動制御するモータ駆動制御手段と、を備え、
前記ギャップ調整手段は、前記キャリッジの主走査方向への移動を前記ガイドロッドの昇降動作に変換する手段を有する
画像形成装置における前記モータを駆動制御して前記ギャップを調整する処理をコンピュータに行なわせるプログラムであって、
前記キャリッジを下降させて前記ギャップを小さくするときには前記ＰＩＤ制御における比例制御のみを有効とし、前記キャリッジを上昇させて前記ギャップを大きくするときには前記ＰＩＤ制御における比例制御、積分及び微分制御の少なくともいずれかを有効とする処理を行わせる
ことを特徴とするプログラム。
【発明の詳細な説明】
【技術分野】
【０００１】
本発明は画像形成装置及びプログラムに関し、特に液滴を吐出する記録ヘッドを備える画像形成装置及びこの画像形成装置で使用されるプログラムに関する。
【背景技術】
【０００２】
プリンタ、ファクシミリ、複写装置、プロッタ、これらの複合機等の画像形成装置として、例えばインク液滴を吐出する液体吐出ヘッド（液滴吐出ヘッド）からなる記録ヘッドを用いた液体吐出記録方式の画像形成装置としてインクジェット記録装置などが知られている。この液体吐出記録方式の画像形成装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
なお、本願において、液体吐出記録方式の「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。また、「画像」とは平面的なものに限らず、立体的に形成されたものに付与された画像、また立体自体を３次元的に造形して形成された像も含まれる。
【０００４】
このような画像形成装置においては、ヘッドと被記録媒体（媒体搬送面）の間隔（ギャップ）が滴着弾位置精度に影響を与えることから、被記録媒体の厚みに応じてギャップを調整するギャップ調整機構を備えることが知られている。
【０００５】
この場合、ギャップ調整機構を駆動するための駆動源を備えるもの（特許文献１）がある。また、キャリッジに設けた第１当接部と、キャリッジの走査方向に応じて収納、突出する第２当接部とを有し、フレーム側に第２当接部の収納、突出を切替える第１、第２押圧手段を備え、第１当接部又は第２当接部がフレームに対して選択的に摺接することによってキャリッジの姿勢が変わり、ギャップが調整されるようにしたもの（特許文献２）がある。
【先行技術文献】
【特許文献】
【０００６】
【特許文献１】特開２００５−１０３８３５号公報
【特許文献２】特開２００４−３２２５１５号公報
【発明の概要】
【発明が解決しようとする課題】
【０００７】
上述した特許文献１に開示されているように、ギャップ調整手段を駆動するための独立の駆動源を備えると構成が複雑になり、コストが高くなるという問題が生じる。この点は、特許文献２に開示されているように、キャリッジの移動走査でメカ的にキャリッジの姿勢を替える手段を備えることによって解決できるが、メカ的な構成が複雑になるという課題がある。
【０００８】
ところで、ギャップ調整機構の構成を簡略化し、コストを低減するために、キャリッジの主走査動作をキャリッジの昇降動作に変換する場合、キャリッジの上昇時及び下降時のいずれでも同じモータの駆動制御を行うと、キャリッジを下降させるとき（ギャップを小さくするとき）にはキャリッジの自重によってキャリッジの移動速度が高くなり、キャリッジの減速が間に合わず、キャリッジが側板に衝突して、衝突音の発生や部品の破損が生じやすくなるという課題がある。
【０００９】
本発明は上記の課題に鑑みてなされたものであり、ギャップ調整に伴う衝突音や部品破損を防止することを目的とする。
【課題を解決するための手段】
【００１０】
上記の課題を解決するため、本発明に係る画像形成装置は、
液滴を吐出するヘッドと、
前記ヘッドが搭載されたキャリッジと、
前記キャリッジを摺動自在に支持し、昇降可能に配設されたガイドロットと、
前記ヘッドに対向して被記録媒体を搬送する搬送手段と、
前記ガイドロッドを昇降させて前記キャリッジを昇降させることで、前記ヘッドと前記被記録媒体とのギャップを調整するギャップ調整手段と、
前記キャリッジを主走査方向に移動させるモータと、
前記モータをＰＩＤ制御で駆動制御するモータ駆動制御手段と、を備え、
前記ギャップ調整手段は、前記キャリッジの主走査方向への移動を前記ガイドロッドの昇降動作に変換する手段を有し、
前記モータ駆動制御手段は、
前記キャリッジを下降させて前記ギャップを小さくするときには前記ＰＩＤ制御における比例制御のみを有効とし、前記キャリッジを上昇させて前記ギャップを大きくするときには前記ＰＩＤ制御における比例制御、積分及び微分制御の少なくともいずれかを有効とする
構成とした。
【００１１】
ここで、前記変換する手段は、
前記キャリッジが主走査方向の第１の方向に移動されることで押される第１レバーと、前記第１レバーが前記キャリッジで押されることで前記ガイドロッドを上昇させる上昇機構と、
前記キャリッジが主走査方向の第２の方向に移動されることで押される第２レバーと、前記第２レバーが前記キャリッジで押されることで前記ガイドロッドを下降させる下降機構と、を有する
構成とできる。
【００１２】
本発明に係るプログラムは、
液滴を吐出するヘッドと、
前記ヘッドが搭載されたキャリッジと、
前記キャリッジを摺動自在に支持し、昇降可能に配設されたガイドロットと、
前記ヘッドに対向して被記録媒体を搬送する搬送手段と、
前記ガイドロッドを昇降させて前記キャリッジを昇降させることで、前記ヘッドと前記被記録媒体とのギャップを調整するギャップ調整手段と、
前記キャリッジを主走査方向に移動させるモータと、
前記モータをＰＩＤ制御で駆動制御するモータ駆動制御手段と、を備え、
前記ギャップ調整手段は、前記キャリッジの主走査方向への移動を前記ガイドロッドの昇降動作に変換する手段を有する
画像形成装置における前記モータを駆動制御して前記ギャップを調整する処理をコンピュータに行なわせるプログラムであって、
前記キャリッジを下降させて前記ギャップを小さくするときには前記ＰＩＤ制御における比例制御のみを有効とし、前記キャリッジを上昇させて前記ギャップを大きくするときには前記ＰＩＤ制御における比例制御、積分及び微分制御の少なくともいずれかを有効とする処理を行わせる
構成とした。
【発明の効果】
【００１３】
本発明に係る画像形成装置によれば、ギャップ調整手段は、キャリッジの主走査方向への移動をガイドロッドの昇降動作に変換する手段を有し、モータ駆動制御手段は、キャリッジを下降させてギャップを小さくするときにはＰＩＤ制御における比例制御のみを有効とし、キャリッジを上昇させてギャップを大きくするときにはＰＩＤ制御における比例制御、積分及び微分制御の少なくともいずれかを有効とする構成としたので、簡単な構成でギャップ調整を行うことができるとともに、キャリッジを下降させるときの自重の影響を低減できて、ギャップ調整に伴う衝突音や部品破損を防止することができる。
【００１４】
本発明に係るプログラムによれば、ギャップ調整手段はキャリッジの主走査方向への移動をガイドロッドの昇降動作に変換する手段を有する画像形成装置におけるモータを駆動制御してギャップを調整する処理を行なうとき、キャリッジを下降させてギャップを小さくするときにはＰＩＤ制御における比例制御のみを有効とし、キャリッジを上昇させてギャップを大きくするときにはＰＩＤ制御における比例制御、積分及び微分制御の少なくともいずれかを有効とする構成としたので、簡単な構成でギャップ調整を行うことができるようにしても、キャリッジを下降させるときの自重の影響を低減できて、ギャップ調整に伴う衝突音や部品破損を防止することができる。
【図面の簡単な説明】
【００１５】
【図１】本発明に係る画像形成装置の機構部の全体構成を説明する側面概略構成図である。
【図２】同機構部の要部平面説明図である。
【図３】ギャップ調整手段の説明に供する斜視説明図である。
【図４】同装置の制御部を説明する概略ブロック説明図である。
【図５】モータ駆動制御に関わる部分の説明に供するブロック図である。
【図６】ギャップ調整制御の説明に供するフロー図である。
【図７】キャリッジ上昇時の説明に供する説明図である。
【図８】キャリッジ下降時の説明に供する説明図である。
【図９】比較例におけるキャリッジ下降時の説明に供する説明図である。
【図１０】キャッピング時のキャリッジの昇降制御の説明に供するフロー図である。
【発明を実施するための形態】
【００１６】
以下、本発明の実施の形態について添付図面を参照して説明する。まず、本発明を適用する画像形成装置としてのインクジェット記録装置の概要について図１及び図２を参照して説明する。なお、図１は同インクジェット記録装置の概略構成を示す平面説明図、図２は同じく正面説明図である。
このインクジェット記録装置は、左右の側板１００Ｌ，１００Ｒ間に横架した主ガイドロッド１及び図示しない従ガイド部材でキャリッジ３を摺動自在に保持し、主走査モータ５によって、駆動プーリ６と従動プーリ７間に渡したタイミングベルト８を介して主走査方向に移動走査する。
【００１７】
このキャリッジ３には、イエロー（Ｙ）、マゼンタ（Ｍ）、シアン（Ｃ）、ブラック（Ｋ）の各色のインク滴を吐出するための液体吐出ヘッドからなる記録ヘッド４ｙ、４ｍ、４ｃ、４ｋ（区別しないときは「記録ヘッド４」という。）を複数のノズルからなるノズル列を主走査方向と直交する副走査方向に配列し、インク滴吐出方向を下方に向けて装着している。
【００１８】
記録ヘッド４を構成する液体吐出ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００１９】
一方、用紙を搬送するために、用紙を静電吸着して記録ヘッド４に対向する位置で搬送するための搬送手段である搬送ベルト１２を備えている。この搬送ベルト１２は、無端状ベルトであり、搬送ローラ1３とテンションローラ１４との間に掛け渡されて、ベルト搬送方向（副走査方向）に周回するように構成し、周回移動しながら帯電ローラ１５によって帯電（電荷付与）される。
【００２０】
また、搬送ベルト１２は、副走査モータ１６によってタイミングベルト１７及びタイミングプーリ１８を介して搬送ローラ１３が回転駆動されることによって、副走査方向に周回移動する。
【００２１】
さらに、キャリッジ３の主走査方向の一方側には搬送ベルト１２の側方に記録ヘッド４の維持回復を行う維持回復機構２１が配置され、他方側には搬送ベルト１２の側方に記録ヘッド４から空吐出を行う空吐出受け２１がそれぞれ配置されている。
【００２２】
なお、維持回復機構２０は、例えば記録ヘッド４のノズル面（ノズルが形成された面）をキャッピングする４個のキャップ部材３１、ノズル面を払拭するワイパ部材３２、画像形成に寄与しない液滴（空吐出滴）を受ける空吐出受け３３などで構成されている。
【００２３】
また、キャリッジ３の主走査方向に沿って両側板１００Ｌ、１００Ｒ間に、所定のパターン（位置識別部、目盛り、スリットなどともいう。以下「スリット」という。）を形成したエンコーダスケール２３を張装し、キャリッジ２３にはエンコーダスケール２３のスリットを読取る透過型フォトセンサからなるエンコーダセンサ２４を設け、これらのエンコーダスケール２３とエンコーダセンサ２４によってキャリッジ２３の移動を検知するリニアエンコーダ（主走査エンコーダ）を構成している。
【００２４】
また、搬送ローラ１３の軸にはエンコーダスケール（コードホイール）２５を取り付け、このエンコーダスケール２５に形成したパターン（スリット）を検出する透過型フォトセンサからなるエンコーダセンサ２６を設けて、これらのエンコーダスケール２５とエンコーダセンサ２６によって搬送ベルト１２の移動量及び移動位置を検出するロータリエンコーダ（副走査エンコーダ）を構成している。
【００２５】
このように構成したこの画像形成装置においては、図示しない給紙トレイから用紙が帯電された搬送ベルト１２上に給紙されて吸着され、搬送ベルト１２の周回移動によって用紙が副走査方向に搬送される。そこで、キャリッジ３を主走査方向に移動させながら画像信号に応じて記録ヘッド４を駆動することにより、停止している用紙にインク滴を吐出して１行分を記録し、用紙を所定量搬送後、次の行の記録を行う。記録終了信号又は用紙の後端が記録領域に到達した信号を受けることにより、記録動作を終了して、用紙を図示しない排紙トレイに排紙する。
【００２６】
次に、記録ヘッド３と用紙搬送面を形成する搬送ベルト１２との間のギャップを調整するギャップ調整手段について図３も参照して説明する。なお、図３は同ギャップ調整手段の説明に供する斜視説明図である。
ギャップ調整手段は、キャリッジ３の主走査方向への移動をガイドロッド１の昇降動作、すなわち、キャリッジ３の昇降動作に変換する手段としての変換機構５０を有している。
【００２７】
変換機構５０は、上昇機構であり、キャリッジ３の主走査方向の一方側（図１参照）に配置した第１レバーであるギャップ上昇レバー５２を有し、ギャップ上昇レバー５２の端部にはギヤ５３が取付けられ、ギヤ５３に噛み合うギヤ５４を有し、ギヤ５４には回転部材５５が取付けられている。一方、ガイドロッド１は、側板１００Ｌ、１００Ｒに対して昇降可能に配設され、端部に回転部材５５に圧接される昇降部材（支持受け部材）５６が設けられている。
【００２８】
また、図示しないが、キャリッジ３の主走査方向の他方側（図１参照）に配置した第２レバーであるギャップ下降レバー５１を有し、同様な下降機構としての変換機構５０が設けられている。
【００２９】
そして、ギャップを大きくする（広くする）ときには、キャリッジ３を、ギャップ上昇レバー５２を押し込む方向（これを「主走査方向の第１の方向」とする）側に移動させて、ギャップ上昇レバー５２を押し込むことによって、ギヤ５４が回転されて回転部材５５が図３で矢示方向に回転し、昇降部材５６が同じく矢示方向に上昇することで、ガイドロッド１が上昇するので、キャリッジ３が搬送ベルト１２の搬送面に対して上昇して、ギャップが大きくなる。
【００３０】
また、ギャップを小さくする（狭くする）ときには、キャリッジ３を、ギャップ下降レバー５１を押し込む方向（これを「主走査方向の第２の方向」とする）側に移動させて、ギャップ下降レバー５１を押し込むことによって、同様にしてガイドロッド１が下降するので、キャリッジ３が搬送ベルト１２の搬送面に対して下降して、ギャップが小さくなる。
【００３１】
なお、昇降機構としての変換機構５０は、下降機構でキャリッジ３を下降させてギャップを小さくするときには、上述したと逆方向に移動されてギャップ上昇レバー５２は元の位置に戻り、同様に、下降機構としての変換機構５０は、上昇機構でキャリッジ３を上昇させてギャップを大きくするときには、上述したと逆方向に移動されてギャップ下降レバー５１は元の位置に戻る。
【００３２】
次に、この画像形成装置の制御部の概要について図４を参照して説明する。なお、同図は同制御部の全体ブロック説明図である。
この制御部２００は、この装置全体の制御を司るＣＰＵ２０１と、ＣＰＵ２０１が実行する、本発明におけるギャップ調整時のキャリッジの移動制御（主走査モータ５の駆動制御）を行う本発明に係るプログラムを含む各種プログラム、その他の固定データを格納するＲＯＭ２０２と、画像データ等を一時格納するＲＡＭ２０３と、装置の電源が遮断されている間もデータを保持するための書き換え可能な不揮発性メモリ２０４と、画像データに対する各種信号処理、並び替え等を行う画像処理やその他装置全体を制御するための入出力信号を処理するＡＳＩＣ２０５を備えている。
【００３３】
また、この制御部２００は、ホスト側とのデータ、信号の送受を行うためのＩ／Ｆ２０６と、記録ヘッド４を駆動制御するためのデータ転送手段、駆動波形を生成する駆動波形生成手段を含む印刷制御部２０７と、キャリッジ３側に設けた記録ヘッド４を駆動するためのヘッドドライバ（ドライバＩＣ）２０８と、主走査モータ４及び副走査モータ１６を駆動するためのモータ駆動部２１０と、帯電ローラ１５にＡＣバイアスを供給するＡＣバイアス供給部２１２と、エンコーダセンサ２４、２６からの各検出信号、温度センサなどの各種センサからの検出信号を入力するためのＩ／Ｏ２１３などを備えている。また、この制御部２００には、この装置に必要な情報の入力及び表示を行うための操作パネル２１４が接続されている。
【００３４】
ここで、制御部２００は、パーソナルコンピュータ等の情報処理装置（イメージスキャナなどの画像読み取り装置、デジタルカメラなどの撮像装置などでもよい。：ホスト）６００側からの画像データ等をケーブル或いはネットを介してＩ／Ｆ２０６で受信する。
【００３５】
そして、制御部２００のＣＰＵ２０１は、Ｉ／Ｆ２０６に含まれる受信バッファ内の印刷データを読み出して解析し、ＡＳＩＣ２０５にて必要な画像処理、データの並び替え処理等を行い、この画像データをヘッド駆動制御部２０７からヘッドドライバ２０８に転送する。なお、画像出力するためのドットパターンデータの生成はホスト６００側のプリンタドライバ６０１で行っている。
【００３６】
印刷制御部２０７は、上述した画像データをシリアルデータでヘッドドライバ２０８に転送するとともに、この画像データの転送及び転送の確定などに必要な転送クロックやラッチ信号、滴制御信号（マスク信号）などをヘッドドライバ２０８に出力する以外にも、ＲＯＭに格納されている駆動信号のパターンデータをＤ／Ａ変換するＤ／Ａ変換器及び電圧増幅器、電流増幅器等で構成される駆動波形生成部及びヘッドドライバに与える駆動波形選択手段を含み、１の駆動パルス（駆動信号）或いは複数の駆動パルス（駆動信号）で構成される駆動波形を生成してヘッドドライバ２０８に対して出力する。
【００３７】
ヘッドドライバ２０８は、シリアルに入力される記録ヘッド４の１行分に相当する画像データに基づいて印刷制御部２０７から与えられる駆動波形を構成する駆動信号を選択的に記録ヘッド４の液滴を吐出させるエネルギーを発生する駆動素子（例えば圧電素子）に対して印加することで記録ヘッド４７を駆動する。このとき、駆動波形を構成する駆動パルスを選択することによって、例えば、大滴（大ドット）、中滴（中ドット）、小滴（小ドット）など、大きさの異なるドットを打ち分けることができる。
【００３８】
また、ＣＰＵ２０１は、リニアエンコーダを構成するエンコーダセンサ２４からの検出パルスをサンプリングして得られる速度検出値及び位置検出値と、予め格納した速度・位置プロファイルから得られる速度目標値及び位置目標値とに基づいて主走査モータ５に対する駆動出力値（制御値）を算出してモータ駆動部２１０を介して主走査モータ４を駆動する。同様に、ロータリエンコーダを構成するエンコーダセンサ２６からの検出パルスをサンプリングして得られる速度検出値及び位置検出値と、予め格納した速度・位置プロファイルから得られる速度目標値及び位置目標値とに基づいて副走査モータ１６対する駆動出力値（制御値）を算出してモータ駆動部２１０を介しモータドライバを介して副走査モータ１６を駆動する。
【００３９】
次に、この制御部におけるキャリッジを移動走査する主走査モータの駆動制御に関わる部分（本発明に係るモータ駆動制御手段）について図４のブロック説明図を参照して説明する。
制御部２００のＣＰＵ２０１などで構成されるエンジン制御部３０１は、目標とする位置と速度と、比例演算するＰパラメータ、積分演算するＩパラメータ、微分演算するＤパラメータの指示を与える。
【００４０】
なお、ＰＩＤ制御に代えてＰＩ制御のみ、あるいは、ＰＤ制御のみを行なう制御方式を採用することもできる。
【００４１】
位置速度検出部３０２は、エンコーダセンサ２４からの検出パルスをカウントしてキャリッジ３の移動の速度変換と移動量を検出する。比較演算部３０３は、エンジン制御部３０１から指示された目標位置、目標速度に対する偏差量を算出して、ＰＩＤ制御演算部３０４に与える。ＰＩＤ制御演算部３０４は、比較演算部３０３からの偏差量に対しＰＩＤ（比例、積分、微分）演算をして、ＰＷＭ（Ｐulse Ｗidth Ｍodulation：パルス幅変調）出力値を求め、モータドライバ２１０にＰＷＭ出力設定を行い、モータドライバ２１０は設定されたＰＷＭ出力値に応じて主走査モータ５を駆動する。
【００４２】
次に、本発明におけるギャップ調整制御について図６のフロー図を参照して説明する。
このギャップ調整制御（処理）は、ギャップ調整が必要と判定されたときにエントリイされて、ギャップ調整を開始し、まず、ギャップ調整方向を判別する。このギャップ調整方向の判別は、画像形成情報に付加されている用紙（媒体）の種類（種別）と現在のギャップの大きさに基づいて行なう。例えば、用紙種別が厚みのある厚紙、封筒であり、現在のギャップが小であれば、ギャップ大（キャリッジ上昇）と判定する。
【００４３】
そして、ギャップ調整方向がギャップを大きくする（キャリッジを上昇する）ときには、主走査モータ５を、ギャップ上昇レバー５２を押し込む方向に移動させて、キャリッジ３を上昇させることでギャップを拡大（大きく）する。
【００４４】
これに対し、ギャップ調整方向がギャップを小さくする（キャリッジを下降する）ときには、主走査モータ５を、ギャップ下降レバー５１を押し込む方向に移動させて、キャリッジ３を下降させることでギャップを縮小（小さく）する。
【００４５】
次に、キャリッジ３を上昇させてギャップを大きくするときのモータ駆動制御について図７を参照して説明する。
このキャリッジ上昇時には、エンジン制御部３０１からＰＩＤの各パラメータとして、いずれも「０」以外の値を与え、ＰＩＤ制御演算部３０４における比例制御（Ｐ制御）、積分制御（Ｉ制御）、微分制御（Ｄ制御）をいずれも有効とし、比較演算部３０３からの偏差量に対してＰ、Ｉ、Ｄの各制御による演算を行わせるようにする。なお、Ｉ制御或いはＤ制御のいずれかを行なうようにすることもできる。
【００４６】
そして、エンジン制御部３０１は、図７（ａ）に破線で示すキャリッジ３の速度プロファイルに従って目標速度を比較演算部３０３に与えることにより、比較演算部３０３からはキャリッジ３の検出速度との偏差量が算出されてＰＩＤ制御演算部３０４に与えられるので、ＰＩＤ制御演算部３０４は偏差量に対してＰ制御、Ｉ制御、Ｄ制御によるＰＷＭ出力値を演算してモータドライバ２１０に与える。このときＰＩＤ制御演算部３０４からは例えば図７（ｂ）に示すようなＰＷＭ出力値がモータドライバ２１０に与えられる。これにより、キャリッジ３は図７（ａ）に実線で示すような速度（実速度）で移動する。
【００４７】
次に、キャリッジ３を下降させてギャップを小さくするときのモータ駆動制御について図８を参照して説明する。
このキャリッジ下降時には、エンジン制御部３０１からＰＩＤの各パラメータとして、Ｐパラメータは「０」以外の値を与え、Ｉ及びＤの各パラメータは「０」を与え、ＰＩＤ制御演算部３０４によおける比例制御（Ｐ制御）のみを有効とし、積分制御（Ｉ制御）及び微分制御（Ｄ制御）をいずれも無効とし、比較演算部３０３からの偏差量に対してＰ制御（演算）のみを行わせるようにする。
【００４８】
そして、エンジン制御部３０１は、図８（ａ）に破線で示すキャリッジ３の速度プロファイルに従って目標速度を比較演算部３０３に与えることにより、比較演算部３０３からはキャリッジ３の検出速度との偏差量が算出されてＰＩＤ制御演算部３０４に与えられるので、ＰＩＤ制御演算部３０４は偏差量に対してＰ制御のみによるＰＷＭ出力値を演算してモータドライバ２１０に与える。このときＰＩＤ制御演算部３０４からは例えば図８（ｂ）に示すようなＰＷＭ出力値がモータドライバ２１０に与えられる。これにより、キャリッジ３は図８（ａ）に実線で示すような速度（実速度）で移動する。
【００４９】
つまり、キャリッジ３の下降時にはキャリッジ３の自重が下降速度に影響を与えるために、目標速度に対してキャリッジ３の速度が上昇する傾向になる。そこで、キャリッジ３を下降させるときには、制御遅れのない比例制御のみでモータ３をフィードバック制御することにより、ブレーキ効果として最も有効なモータ出力の逆転により上昇するキャリッジ速度を抑えこむことでより目標速度に近づけることができる。
【００５０】
この点について、比較例として、キャリッジ下降時にもＰＩＤの各制御をいずれも有効にして演算を行なった場合（キャリッジ上昇時と同じ駆動制御を行った場合）の例を図９に示している。
キャリッジ３を降下させるとき、キャリッジ３の重さによって急激に降下することになる。このとき、ＰＩＤ制御演算部３０４でＰＩＤの各演算を行なっていると、ＰＷＭ出力値は図９（ｂ）に示すようになる。つまり、キャリッジ２の自重による降下速度の上昇に対して積分演算では制御遅れが発生し、また、継続的に発生する外乱に微分演算で対処することができなくなる。
【００５１】
このように、キャリッジ３の自重による速度変化に対する制御遅れが発生することから、図９（ａ）に示すように、キャリッジ３の実速度（実線図示）は、加速から等速に移行するときに目標速度（破線図示）に対して大きくオーバーシュートし、また、等速から減速に移行するときに応答遅れによるオーバーシュートが発生し、キャリッジ３が側板に衝突したり、あるいは、ガイドロッド１の支持受けにも勢いよく衝突してしまうことになる。
【００５２】
これに対し、本発明では、キャリッジ下降時は制御遅れのない比例制御のみでフィードバック制御するので、キャリッジ速度をより速度プロファイル（目標速度）に近づけた速度で制御することができ、キャリッジが側板などに衝突することもなくなる。
【００５３】
なお、上記実施形態では、キャリッジを下降させるとき（ギャップを小さくするとき）にはＰＩＤのうちのＰ制御のみを有効とし、キャリッジを上昇させるとき（ギャップを大きくするとき）にはＰＩＤの各制御のいずれも使用するようにしているが、搬送手段側（上記の例では搬送ベルト側）を昇降させることもでき、この場合には、搬送手段を下降させるとき（ギャップを大きくするとき）にはＰＩＤのうちのＰ制御のみを有効とし、搬送手段を上昇させるとき（ギャップを小さくするとき）にはＰＩＤのいずれも使用するようにすればよい。
【００５４】
このように、ギャップ調整手段は、キャリッジの主走査方向への移動を前記ガイドロッドの昇降動作に変換する手段を有し、モータ駆動制御手段は、キャリッジを下降させてギャップを小さくするときにはＰＩＤ制御における比例制御のみを有効とし、キャリッジを上昇させてギャップを大きくするときにはＰＩＤ制御における比例制御、積分及び微分制御の少なくともいずれかを有効とする構成とすることで、簡単な構成でギャップ調整を行うことができるとともに、キャリッジを下降させるときの自重の影響を低減できて、ギャップ調整に伴う衝突音や部品破損を防止することができる。
【００５５】
次に、記録ヘッドを維持回復機構のキャップでキャッピングするときの制御について図１０のフロー図を参照して説明する。
維持回復機構２０のキャップ２１によって記録ヘッド４のノズル面をキャッピングするときには、記録ヘッド４の高さ位置を確実に封止される位置に設定する必要がある。そこで、記録ヘッド４のキャッピングを開始するときには、主走査モータ５を駆動制御してギャップ上昇制御を実施したこと示す値を保持したレジスタやフラグを参照して、現在のギャップ位置（キャリッジ高さ位置）を判定する。
【００５６】
そして、キャリッジが上昇位置にあるときには、主走査モータ５を駆動制御してキャリッジ３を下降させる制御を行った後キャッピングを行い、キャリッジが下降位置にあるときには、そのままキャッピングを行う。
【００５７】
以上のギャップ調整におけるモータの駆動制御に係る処理は、ＲＯＭ２０２に格納されているプログラムによってコンピュータに実行させる。このプログラムは、情報処理装置側にダウンロードして画像形成装置にインストールすることができ、あるいは、記憶媒体に記憶して提供することができる。
【符号の説明】
【００５８】
１  ガイドロッド
２  キャリッジ
４、４ｋ、４ｃ、４ｍ、４ｙ  記録ヘッド
２０  維持回復機構
５０  上昇機構
５１  ギャップ下降レバー
５２  ギャップ上昇レバー
２００  制御部
【図１】
2012116006.tif 000003
【図２】
2012116006.tif 000004
【図３】
2012116006.tif 000005
【図４】
2012116006.tif 000006
【図５】
2012116006.tif 000007
【図６】
2012116006.tif 000008
【図７】
2012116006.tif 000009
【図８】
2012116006.tif 000010
【図９】
2012116006.tif 000011
【図１０】
2012116006.tif 000012